(57)【要約】      （修正有）【課題】遠赤外線を発する天然の黒鉛珪石が放射能を低減する機能を有するかどうか、さらには、天然の黒鉛珪石に放射能を低減する機能があることが見出された場合に、その機能を発揮させるための条件を見出す。【解決手段】天然の黒鉛珪石が、放射能汚染排水あるいは土壌中の放射性物質を吸着し、且つ、放射性物質から放射される放射線量を低減する機能を有し、しかも、その天然の黒鉛珪石が有する放射線量を低減する機能は、繰り返し使用によっても劣化することないという知見に基づいて完成したもので、常温で遠赤外線を放出する天然の黒鉛珪石粉末を主体とする放射性物質を吸着して放射能を低減する放射能低減剤である。【選択図】なし【特許請求の範囲】
【請求項１】
常温で遠赤外線を放出する天然の黒鉛珪石粉末を主体とする放射性物質を吸着して放射能を低減する放射能低減剤。
【請求項２】
常温で遠赤外線を放出する天然の黒鉛珪石粉末とアルミノ珪酸塩ガラスの粉末との混合粉末を還元性雰囲気中で焼成して、平均粒径が５ｍｍ以下のポーラス状粒状体とした請求項１に記載の放射能低減剤。
【請求項３】
前記黒鉛珪石粉末が常温で波長６〜１４μｍの遠赤外線を放出する請求項１又は２に記載の放射能低減剤。
【請求項４】
請求項１〜３のいずれかに記載の放射能低減剤を放射性物質に接触させ、放射性物質を放射能低減剤に吸着させて放射能を低減する放射能低減方法。
【発明の詳細な説明】
【技術分野】
【０００１】
この発明は、放射性物質を含む用排水、土壌等の放射能の低減に関する。
【背景技術】
【０００２】
従来から、天然鉱石から抽出したオパールサンド・麦飯石・医王石・活性炭のような鉱物質を除湿剤、吸臭剤として用いることが知られている。とくに、石墨質断層角礫岩で、通称グラファイトシリカ、シリカブラック、あるいは神明鉱石と呼ばれる天然の黒鉛珪石は、常温で高レベルの遠赤外線（波長６〜１４μｍ）を放出し、吸着作用、脱臭作用及び滅菌作用を有することが知られている。
【０００３】
そして、さらに、下記特許文献には、この天然の黒鉛珪石を植物の生育促進剤、浄化剤、さらには、触媒としての用途が開示されている。
【先行技術文献】
【特許文献】
【０００４】
【特許文献１】特許第３７８７４２１号公報
【特許文献２】特許第３９３９８００号公報
【特許文献３】特許第３９５４１４６号公報
【特許文献４】特許第４５１６５２１号公報
【発明の概要】
【発明が解決しようとする課題】
【０００５】
本発明の課題は、上記各特許文献に開示された天然の黒鉛珪石がさらに放射能を低減する機能を有するかどうか、さらには、天然の黒鉛珪石に放射能を低減する機能があることが見出された場合に、その機能を発揮させるための条件を見出すことにある。
【課題を解決するための手段】
【０００６】
本発明は、天然の黒鉛珪石は、放射能汚染排水あるいは土壌中の放射性物質を吸着し、且つ、放射性物質から放射される放射線量を低減する機能を有し、しかも、その天然の黒鉛珪石が有する放射線量を低減する機能は、繰り返し使用によっても劣化することないという知見に基づいて完成した。
【０００７】
以下、本発明において、放射性物質を吸着し、その放射性物質からの放射線量を低減する能力を有する物質を放射能低減剤と称する。
【０００８】
本発明に係る天然の黒鉛珪石の放射能低減剤としての効果は、天然の黒鉛珪石の形態によって異なる。
【０００９】
本発明の放射能低減剤の形態としては、先に挙げた特許文献１〜４に記載の形態を利用して、例えば、以下の形態で使用できる。
【００１０】
（１）天然の黒鉛珪石を平均粒径５０μｍ以下に破砕し、放射能物質との吸着あるいは接触面積を増大した破砕粉末状態で使用する。
【００１１】
（２）天然の黒鉛珪石の粉末とアルミノ珪酸塩ガラス粉末（シラス）との混合粉末のポーラス状粒状体。これは、天然の黒鉛珪石の粉末とアルミノ珪酸塩ガラスの粉末との混合粉末を還元性雰囲気中で焼成し、例えば、５ｍｍ径以下の粒状体として使用する。
【００１２】
（３）多孔質体の表面と多孔質体内に形成されている細孔内面にカーボンと天然の黒鉛珪石の粉末を付着させた形態。これは、多孔質体に食用油と天然グラファイトシリカと陶土の微細粉末との液状混合物を含浸させたのち、還元雰囲気中で加熱することにより多孔質体の表面および内部細孔内面に天然グラファイトシリカを含むカーボンを付着させた状態で使用する。
【００１３】
（４）粉末状の天然の黒鉛珪石を表面に塗布した形態の多孔質粒体として、レンガ、セラミックスなどの粒子、天然の軽石及びサンゴ粒の中の何れかを使用する。
【００１４】
（５）シラスのような天然の多孔質体と天然の黒鉛珪石の粉末とをボール状に混合成形し、還元焼成したセラミックボールの形態として使用する。
【００１５】
このような形態とした本発明の放射能低減剤は、原子力施設事故等で発生した放射性用排水、又はその近傍の放射性土壌に適用でき、さらには家屋の壁等にもペンキ状にして適用できる。
【００１６】
さらに、本発明の放射能低減剤は、使用後、野ざらしによって、当初の状態に復帰し、再使用が可能であるが、弱酸性水溶液によって再生使用が可能となる。
【発明の効果】
【００１７】
本発明の天然の黒鉛珪石粉末を含有する放射能低減剤は、放射性物質の種類に関係なく、優れた放射能の低減効果もたらす。また、放射能の低減効果は、繰り返しの使用によっても殆ど劣化することない。
【図面の簡単な説明】
【００１８】
【図１】本発明の放射能低減剤を使用した放射能の低減効果（放射性ヨウ素・セシウムの吸着及び減衰試験結果）を示す。
【発明を実施するための形態】
【００１９】
本発明に係る放射能低減剤を、放射能に汚染された汚染水に対してバッチ処理で適用することを想定して、その放射能の低減効果を調べた。
【実施例】
【００２０】
［実施例１］
（放射能低減剤の調製）
天然の黒鉛珪石として、北海道檜山郡上ノ国町湯の袋神明の平成上ノ国鉱山より産出した石墨質断層角礫岩を用いた。この天然の黒鉛珪石は、常温で波長６〜１４μｍの高レベルの遠赤外線を放出するものであった。
【００２１】
この黒鉛珪石を平均粒径６−７μｍに粉砕し、その黒鉛珪石の粉末と平均粒径６０μｍのシラス（アルミノ珪酸塩ガラス）と平均粒径１６μｍの小麦粉を、質量比１２：８：２の割合で混合し、この混合粒子に対して２０質量％の水を混ぜて、これを造粒機で一定の大きさ（平均粒径３．５ｍｍ）の球体粒子とし、常温で残留水分が５質量％程度になるまで乾燥した。その後、この球体粒子を陶器の容器に入れ、還元雰囲気の焼成炉の中で、６〜７時間かけて約１１００°Ｃまで加熱した。その後、自然放冷するのを待って、焼成炉から容器を取り出し、還元焼成されたポーラス状球体粒子（平均粒径３．５ｍｍ）である本発明の放射能低減剤を得た。
【００２２】
（放射性物質の吸着処理）
放射性物質として用水中に存在する放射性ヨウ素と放射性セシウムの吸着実験を行った。容量が２．０Ｌのアクリル容器中に、予め蒸留水に２４時間浸漬後の放射能低減剤を見掛け容積で２．０Ｌ充填配置し、放射性ヨウ素と放射性セシウムに汚染された用水約９００ｃｃを注入し、３時間経過後の注入水約８００ｃｃを採取して処理水検体（以下「処理水」という。）とした。比較のため、無処理の上記排水８００ｃｃ採取し、比較検体（以下「原水」という。）とした。
【００２３】
処理水と原水のそれぞれを、４５時間後にゲルマニウム半導体検出器を用いたガンマ線スペフトロメトリーによる核分析法で、放射性ヨウ素としてはヨウ素１３１を、放射性セシウムとしてはセシウム１３４と１３７を測定した。
【００２４】
（試験結果）
測定結果を下記表１と図１に示す。
【００２５】
【表１】
2013003008.tif 000002
【００２６】
放射性ヨウ素１３１については、原水が１１３Ｂｑ／ｋｇで、処理水では２８Ｂｑ／ｋｇに減少した。放射性セシウム１３４については、原水では３７Ｂｑ／ｋｇで、処理水では「不検出」（今回使用したゲルマニウム半導体検出器の検出感度未満の状態をいう。以下同じ。）となり、放射性セシウム１３７については、原水では４１Ｂｑ／ｋで、処理水では「不検出」となった。  
【００２７】
このように、放射性ヨウ素１３１は、３時間の浸漬で約７５％が放射能低減剤に吸着したことから、４時間程度で１００％の吸着効果が発揮されると推測された。また、放射性セシウム１３４と１３７は、３時間の浸漬で１００％若しくは１００％に近い吸着効果が発揮されていると推測された。
【００２８】
（放射能低減の効果）
以上のとおり、本発明に係る放射能低減剤による処理によって、用水中の放射性ヨウ素及び放射性セシウムを吸着除去し、放射能を低減できることが確認された。すなわち、用水中の放射性ヨウ素及び放射性セシウムが、本発明に係る放射能低減剤の基体をなす天然の黒鉛珪石粉末の作用により吸着除去され、放射能が低減したと考えられる。
【００２９】
［実施例２］
上記実施例１にて、本発明に係る放射能低減剤により、放射性ヨウ素及び放射性セシウムを吸着除去できることが確認されたが、本発明に係る放射能低減剤をバッチ処理にて繰り返し使用することを想定すると、一旦、吸着された放射性物質が次なる原水との接触で溶出してくるようであれば、吸着機能材としては不適と考えられることから、上記実施例１で使用した後の放射能低減剤２．０Ｌを１２日間自然乾燥させ、酸度４．２０％の食酢９００ｃｃ内に２４時間浸漬させ、この酸処理水を採取して、放射性物質が溶出している否かを調べた。使用後の放射能低減剤を酸処理した理由は、セシウムがアルカリ金属由来によるためである。放射能低減剤内部に浸透している酸処理水は浄化剤内部の食酢は遠心分離機で採取した。
【００３０】
採取した酸処理水を２４時間後に上記実施例１同様の分析法で、放射性ヨウ素検出用１検体と放射性セシウム検出用２検体を測定した。その測定結果を下記表２と図１に示す。
【００３１】
【表２】
2013003008.tif 000003
【００３２】
酸処理水の中からは３検体とも放射性物質は確認されず、放射能低減剤の中に強固に安定吸着されていることが確認できた。すなわち、本発明に係る放射能低減剤は、バッチ処理にて繰り返し使用しても、その放射能吸着機能は維持されるといえる。
【００３３】
［実施例３］
上記実施例２にて、吸着された放射性物質は、酸処理を行っても溶出せず、放射能低減剤内部にほぼ１００％留まることが確認されたことから、酸処理後の放射能低減剤内部に留まる放射性物質（放射性ヨウ素及び放射性セシウム）の経時減衰試験を実施した。
【００３４】
すなわち、上記実施例１の試験のスタート時を第１回目とし、２７日後を第２回目、その一週間後の３４日後を第３回目、さらに４１日後を第４回目とし、放射能低減剤内部に留まる放射性物質を検出する試験を実施した。
【００３５】
その結果を下記表３と図１に示す
【００３６】
【表３】
2013003008.tif 000004
【００３７】
放射性ヨウ素（ヨウ素１３１）については、１１３Ｂｑ／ｋｇをスタート時の第１回目の検出値とした。放射性ヨウ素（ヨウ素１３１）は、半減期が８日と短いこともあり、第２回目以降では検出されなかった。
【００３８】
一方、放射性セシウム（セシウム１３４とセシウム１３７の合量）については、７８Ｂｑ／ｋｇをスタート時の第１回目の検出値とした。第２回目では５０Ｂｑ／ｋｇ、第３回目では４４Ｂｑ／ｋｇ、第４回目では４０Ｂｑ／ｋｇに減衰し、ほぼ半減した。
【００３９】
ここで、図１に示す理論上の減衰線と試験結果の減衰線とを比較すると、放射性ヨウ素及び放射性セシウムのいずれにおいても、試験結果の方が早く減衰している。これは天然の黒鉛珪石粉末の特徴である、高レベルの遠赤外線等の作用により、放射性物質が急速に減衰しためと考えられる。
【００４０】
以上のように本発明の放射能低減剤によれば、優れた放射能吸着効果及び放射能減衰効果が得られることが確認された。したがって、本発明の放射能低減剤を使用すれば、処理が困難な放射性用排水の放射能レベルを容易に低減することが可能となり、その処理時間及び処理コストを大幅に削減することが可能となる。また、一旦、放射性物質を吸着したら、その放射性物質が溶出することがないことも上述のとおり確認済みであり、しかも、本発明の放射能低減剤に吸着された放射性物質は、図１に示したとおり理論上の減衰に比べ急速に減衰することから、本発明の放射能低減剤の放射能処理機能は極めて有効であるといえる。
【００４１】
また、本発明の放射能低減剤は、天然の黒鉛珪石粉末を基材としており、その製作も迅速に行えることから、原子力施設事故等が突発的に発生しても、早急に対応することが可能である。さらに、天然の黒鉛珪石粉末自体は、本発明の発明者が上記特許文献１〜４で開示したように他の用途として広く使用されており、人体及び環境への安全性も確認されており、本発明の放射能低減剤の使用により有害な副作用が発生することもない。
【００４２】
以上のとおり、本発明の放射能低減剤は、社会性、経済性及び安全性のいずれにおいても極めて有効である。
【産業上の利用可能性】
【００４３】
上記実施例は、実作業をバッチ式で行うことを前提としてのテストモデルで行ったが、放射性物質の存在形態（液中、土壌中など）に関わらず、放射性物質と放射能低減剤の何れか一方を流動化して連続処理することも可能である。
【図１】
2013003008.tif 000005